(57)【要約】【課題】毛髪にカールを施す美容用電気コテに関する。【解決手段】美容用電気コテの上ヒータ部１５ａと下ヒータ部１５ｂの断面における、上ヒータ部の上面１６ａと側部１７ａ、１７ｂの角度θ1、θ2と下ヒータ部１５ｂの上面１６ｂと側部１７ｂ、１８ｂとの角度θ3、θ4を鋭角（５０〜８９゜）に形成する。【選択図】図１
2009112371.tif 000002
【特許請求の範囲】
【請求項１】
上ヒータ部と下ヒータ部を備え、上ヒータ部の上面と下ヒータ部の上面とで毛髪を挟着して毛髪に熱を与える美容用電気コテであり、
前記上ヒータ部と下ヒータ部の断面に於て、上ヒータ部の上面と側部の角度θと下ヒータ部の上面と側部との角度を鋭角（５０〜８９゜）に形成することを特徴とする美容用電気コテ。
【請求項２】
上ヒータ部の上面と側部の角度と下ヒータ部の上面と側部との角度を６０〜８５゜の鋭角に形成することを特徴とする請求項１の美容用電気コテ。
【発明の詳細な説明】
【技術分野】
【０００１】
本願発明は、毛髪にカールを施す美容用電気コテに関する。
【背景技術】
【０００２】
従来、毛髪にカールを施すには、古くから図３（Ａ）に示すパーマロッド１０１と称する器具がある。また、カールを施す美容用電気コテには、特開２００５−１７７４１６号公報に開示の一対の平坦状のヒータ本体の平面型や、図３（Ａ）に示すようにヒータの棒状体１０５と傘体１０６とで構成の円形型の電気コテ１１０がある。
【０００３】
そして、前記パーマロッド１０１は毛髪を巻いて熱を加えてカールを作成する。
前記平面型の美容用電気コテ（図示略）は、先ず、毛髪の根元を挟着し、順次、曲線になるように毛髪の先端部に向けて摺動させてカールを作成する。
また、円形型の美容用電気コテ１１０も平面型の美容用電気コテと同様な操作を行ってカールを作成する。
【０００４】
【特許文献１】特開２００５−１７７４１６号公報
【発明の開示】
【発明が解決しようとする課題】
【０００５】
前記パーマロッド１０１を用いてカールを作成することは、カールの大きさに合わせた径のパーマロッド１０１を用いて毛髪を巻く必要があるので手間がかかる。
また、平面型の美容用電気コテ（図示略）は、平坦部に幅があり、小径状のカールを作成することが難しいし、円形型の美容用電気コテ１１０はカール径に合わせたヒータの棒状体１０５の口径を選択する必要があり、種々の口径のものを揃える必要がある。
そこで、本願発明は、種々の口径のカールを作成できる美容用電気コテを提供するものである。
【課題を解決するための手段】
【０００６】
請求項１の美容用電気コテは、上ヒータ部と下ヒータ部を備え、上ヒータ部の上面と下ヒータ部の上面とで毛髪を挟着して毛髪に熱を与える美容用電気コテである。そして、前記上ヒータ部と下ヒータ部の断面における上ヒータ部の上面と側部の角度θ1、θ2と下ヒータ部の上面と側部との角度θ3、θ4を鋭角（５０〜８９゜）に形成する。
また、請求項２の美容用電気コテは、角度θ1、θ2、θ3、θ4を６０〜８５゜の鋭角に形成する。
【発明の効果】
【０００７】
本願の美容用電気コテは、種々のカールの形状を作成することができる。
【発明を実施するための最良の形態】
【０００８】
本発明を実施する最良の形態について、図１、２を参照して説明する。
図１（Ａ）は美容用電気コテの全体図であり、上本体部１０ａと下本体部１０ｂは回動軸３で回動して挟着可能であり、常時はバネ（図示略）で、上本体部１０ａと下本体部１０ｂが離方向に付勢されている。
また、前記上本体部１０ａの先には上ヒータ部１５ａがホルダを介して延設されている。また、前記下本体部１０ｂの先には下ヒータ部１５ｂがホルダを介して延設されている。そして、上ヒータ部１５ａと下ヒータ部１５ｂは、略直方体で、対称形である。
【０００９】
また、前記上ヒータ部１５ａと下ヒータ部１５ｂの断面形状は、図１（Ｂ）に示すように台形状であり、相対する上面１６ａと下面１６ｂは平面で、上面１６ａと下面１６ｂは密着できる。そして、この美容用電気コテの上ヒータ部１５ａと下ヒータ部１５ｂの側部は、上面１６ａと下面１６ｂを基準に直角ではなく、鋭角（５０〜９０゜）に形成してある。
即ち、上ヒータ部の上面１６ａと側部１７ａ、１８ａの角度θ１、θ２、下ヒータ部の下面１６ｂと側部１７ｂ、１８ｂの角度θ３、θ４は、鋭角（５０〜８９゜、９０゜を除く鋭角）であり、種々の条件で毛髪のカールを試みた結果、望ましい鋭角は６０〜８５゜である。
尚、前記角度θ１、θ２、θ３、θ４は、全て同じである必要はなく、各々前記条件を満たす適宜の角度でよい。
【００１０】
また、前記上本体部１０ａと下本体部１０ｂの内部には、電熱ヒータが内蔵されていると共に、温度を５０〜１００゜Ｃの間で温度制御可能なスイッチ８が外部から操作可能になっている。
尚、従来の美容用電気コテは、温度が６０〜１８０゜Ｃに設定でき、乾いた毛髪に対して使用するので、殆どが１００゜Ｃ以上で使用している。しかし、本願の美容用電気コテは、毛髪が濡れた状態で使用するため、前記した様に低温（１００゜Ｃ以下）である。そして、この条件のために、水分の沸騰や蒸気化が起きず、毛髪の損傷の軽減を図ることができるし、地肌の火傷を防止できる。
尚、本願の美容用電気コテの温度は、前記低温（１００゜Ｃ以下）に限定するものではないことはいうまでもない。
【００１１】
次に、前記本願の美容用電気コテを使用して、毛髪にカールを作成する方法について、図２を参照して説明する。
先ず、温度を５０〜１００゜Ｃのいずれかに設定し、毛髪の根元（頭部近く）で、上ヒータ部１５ａの上面１６ａと下ヒータ部１５ｂの下面１６ｂの間に毛髪を挟む（図２（Ａ））。
そして、毛髪を挟みながら、順次、毛髪の先端方向に摺動させ、毛髪を前記上面１６ａまたは下面１６ｂと側部１７ａ、１７ｂ、１８ａ、１８ｂとの角度θ1〜θ4に折り曲げられた状態で、熱を加える（図２（Ｂ〜Ｃ））。
すると、毛髪を短い間隔で、順次、角度θ1〜θ4で折り曲げながら熱を加えると小半径のカールが形成され、長い間隔で順次、角度θ1〜θ4で折り曲げながら熱を加えると大きな半径のカールが形成される（図２（Ｄ））。
即ち、毛髪は、前記角度θ1〜θ4で加熱することによって、カールの形が選定可能になる。
【００１２】
本願の美容用電気コテは、前記した様に、上面１６ａまたは下面１６ｂと側部１７ａ、１７ｂ、１８ａ、１８ｂとが垂直ではなく、角度θ1〜θ4が鋭角であるので、毛髪の曲折量を任意に変更しながら熱を加えることができるので、容易に、任意のカールの形状を得ることができる。
【００１３】
尚、従来のアイロンは、乾いた毛髪でカールを作成するが、本願のコテでは濡れた毛髪に対して行うので、毛髪の形状を維持したり固定化するために必要な薬液は、加熱タイプのパーマ剤や加熱タイプの蛋白系トリートメント剤、或いは、化粧品タイプのウェーブ剤が望ましい。
【００１４】
以上のように、本願の美容用電気コテは、上面１６ａまたは下面１６ｂと側部１７ａ、１７ｂ、１８ａ、１８ｂとが鋭角の角度θ1〜θ4であるので、濡れた毛髪に対して、連続的に移動させながら、毛髪に角度をつけて加熱するので、毛髪の形状を変更可能である。
【図面の簡単な説明】
【００１５】
【図１】図１（Ａ）は美容用電気コテの全体図、（Ｂ）は上ヒータ部と下ヒータ部の断面形状である。
【図２】美容用電気コテを使用して毛髪にカールを作成する図である。
【図３】（Ａ）は従来のカールを施すパーマロッド、（Ｂ）はカールを施す美容用電気コテである。
【符号の説明】
【００１６】
３  回動軸
１０ａ  上本体部
１０ｂ  下本体部
１５ａ  上ヒータ部
１５ｂ  下ヒータ部
１６ａ  上面
１６ｂ  下面
１７ａ、１７ｂ  側部
１８ａ、１８ｂ  側部
θ1〜θ4  上面を基準とする側部の角度
【図１】
2009112371.tif 000003
【図２】
2009112371.tif 000004
【図３】
2009112371.tif 000005